(57)【要約】      （修正有）【課題】単色カラー、または二色カラーコピーにおいて、ユーザが所望する色をパネル部から選択する画像形成装置及び画像調整方法を提供する。【解決手段】画像形成装置は、色相及び色の濃淡で表現する色選択部を表示する表示部と、前記表示部に表示された前記色選択部から色を選択させる操作部と、前記操作部で選択された色にて用紙に画像形成する画像形成部と、単色または二色の画像形成において、前記表示部に前記色選択部を表示し、前記操作部で選択された色で画像形成するよう制御する制御部と、を備える。【選択図】図３
2012226320.tif 000002
【特許請求の範囲】
【請求項１】
色相及び色の濃淡で表す色選択部を表示する表示部と、
前記表示部に表示された前記色選択部から色を選択させる操作部と、
前記操作部で選択された色にて用紙に画像形成する画像形成部と、
単色または二色の画像形成において、前記表示部に前記色選択部を表示し、前記操作部で選択された色で画像形成するよう制御する制御部と、
を備えることを特徴とする画像形成装置。
【請求項２】
前記制御部は、前記色選択部が選択されたと判断したとき、選択範囲を拡大して前記表示部に表示することを特徴とする請求項１記載の画像形成装置。
【請求項３】
前記制御部は、前記色選択部から選択された選択色を前記表示部に表示することを特徴とする請求項１記載の画像形成装置。
【請求項４】
色を特定する色特定情報を入力する入力部を表示する表示部と、
前記入力部に前記色特定情報を入力する操作部と、
前記入力部にて指定された色にて用紙に画像形成する画像形成部と、
単色または二色の画像形成において、前記色特定情報による色指定であると判断したとき、前記入力部を前記表示部に表示し、前記入力部に入力された前記色特定情報により指定された色で画像形成するよう制御する制御部と、
を備えることを特徴とする画像形成装置。
【請求項５】
前記色特定情報は、赤、緑、青の値、または色相、彩度、輝度の値であることを特徴とする請求項４記載の画像形成装置。
【請求項６】
前記制御部は、前記色特定情報にて指定された色を前記表示部に表示することを特徴とする請求項４記載の画像形成装置。
【請求項７】
前記画像形成部は、色を指定する色選択チャートを画像形成し、前記色特定情報は、前記色選択チャートで区切られて示される色の位置情報であることを特徴とする請求項４記載の画像形成装置。
【請求項８】
前記制御部は、前記色選択チャートを画像形成後、前記表示部に前記位置情報を入力する前記入力部を表示することを特徴とする請求項７記載の画像形成装置。
【請求項９】
単色または二色の画像形成において、色相及び色の濃淡で表現する色選択部を表示し、
表示された前記色選択部から色を選択させ、
選択された色で画像形成するよう制御する、
ことを特徴とする画像調整方法。
【請求項１０】
単色または二色の画像形成において、色特定情報入力による色指定であると判断したとき、
色を特定するための前記色特定情報の入力画面を表示し、
前記色特定情報により指定された色で画像形成する、
よう制御する画像調整方法。
【発明の詳細な説明】
【技術分野】
【０００１】
本発明の実施形態は、画像形成装置及び画像調整方法に関する。
【背景技術】
【０００２】
単色カラー、または二色カラーコピーで出力するカラーをパネル部で選択する方法として、予め決められた数色の中から色を選択して、印刷する画像形成装置が知られている。しかしながら、予め決められた数色の中から色を選択しなければならないため、ユーザが所望する色を選択できないという問題が生じる。
【先行技術文献】
【特許文献】
【０００３】
【特許文献１】特開２００６−２８７７０８公報
【発明の概要】
【発明が解決しようとする課題】
【０００４】
本発明の実施形態が解決しようとする課題は、単色または二色のカラーコピーにおいて、ユーザが所望する色をパネル部から選択する画像形成装置及び画像調整方法を提供することである。
【課題を解決するための手段】
【０００５】
上記課題を解決するために、本発明の実施形態における画像形成装置は、色相及び色の濃淡で表現する色選択部を表示する表示部と、前記表示部に表示された前記色選択部から色を選択させる操作部と、前記操作部で選択された色にて用紙に画像形成する画像形成部と、単色または二色の画像形成において、前記表示部に前記色選択部を表示し、前記操作部で選択された色で画像形成するよう制御する制御部と、を備える。
【図面の簡単な説明】
【０００６】
【図１】第一の実施形態における、画像形成装置のブロック図である。
【図２】第一の実施形態における、画像調整のフローチャートである。
【図３】第一の実施形態における、表示部の色選択の表示例である。
【図４】第一の実施形態における、表示部で色選択された箇所の拡大画像の表示例である。
【図５】第二の実施形態における、画像調整のフローチャートである。
【図６】第二の実施形態における、数値入力画面の表示例である。
【図７】第三の実施形態における、画像調整のフローチャートである。
【図８】第三の実施形態における、色選択チャートを印刷するか否かを確認する表示例である。
【図９】第三の実施形態における、色選択チャートの例である。
【図１０】第三の実施形態における、色選択チャート位置情報入力画面の表示例である。
【発明を実施するための形態】
【０００７】
以下に添付図面を参照して、実施形態の画像形成装置を説明する。
（第一の実施形態）
【０００８】
第一の実施形態の画像形成装置は、ユーザが所望する色を、表示部の色相及び色の濃淡で表現する色選択部から選択させ、ユーザが所望する色にて、単色または二色のカラー印刷をする。単色カラー印刷とは、一つの色で画像形成する印刷方法で、二色のカラー印刷とは、二つの色で画像形成する印刷方法である。
【０００９】
図１は、画像形成装置１００のブロック図である。画像形成装置１００は、制御部１０１、スキャナ部１０２、画像形成部１０３、及びパネル部１０４を有する。
【００１０】
図１に示す共有バス１１１は、後述する各ＣＰＵ（Central Processing Unit）等を接続し、これによりＣＰＵを介したプログラムＩ／Ｏ転送、あるいは周辺デバイスがバスマスタとしてバスを制御し、直接メモリなどにアクセスするバスマスタによるデータ転送が可能である。
【００１１】
制御部１０１は、メインＣＰＵ１１０、記憶部１１２、画像処理部１１６、ページメモリ制御部１１７、及びページメモリ１１８を有する。
【００１２】
メインＣＰＵ１１０は、制御部１０１全体の制御を司る。
【００１３】
記憶部１１２は、メインＣＰＵ１１０とプリンタＣＰＵ１３０の間で、双方向通信を行い、メインＣＰＵ１１０の制御プログラムや各種データを記憶する。記憶部１１２は、プログラムや固定データを記憶し、さらに、手順を実施する過程で生成されたり、変化したりするデータを記憶する。記憶部１１２は、色選択チャート５００のデータを蓄積する。なお、制御部１０１は、記憶部１１２を複数有していても良い。
【００１４】
画像処理部１１６は、画像処理を行う。ページメモリ制御部１１７は、ページメモリ１１８に対して画像情報を記憶したり、読み出したりする。ページメモリ１１８は、複数ページ分の画像情報を記憶できる領域を有し、スキャナ部１０２からの画像情報を圧縮したデータを１ページごとに記憶可能に形成されている。
【００１５】
スキャナ部１０２は、スキャナ部の制御を司るスキャナＣＰＵ１２０、制御プログラム及び各種データを記憶されている記憶部１２２、原稿等を読取るためのＣＣＤ等のラインセンサを駆動するＣＣＤドライバ１２３、露光ランプ及びミラーなどを移動する走査モータの回転を制御する走査モータドライバ１２４、画像を読み取る画像読取部１２５、自動で原稿を搬送するＡＤＦ１２６を有する。
【００１６】
画像形成部１０３は、例えば、プリンタＣＰＵ１３０、記憶部１３２、定着制御部１３３、レーザドライバ１３４、ポリゴンモータドライバ１３５、搬送制御部１３６、プロセス制御部１３７を有する。
【００１７】
プリンタＣＰＵ１３０は、画像形成部１０３の制御を司る。記憶部１３２は、制御プログラム及び各種データを記憶する。定着制御部１３３は、記録媒体に転写されたトナー画像の定着を制御し、レーザドライバ１３４は、半導体レーザ発信器を駆動する。ポリゴンモータドライバ１３５は、レーザ露光装置のポリゴンモータを駆動する。搬送制御部１３６は、搬送路に沿った記録媒体の搬送を制御し、プロセス制御部１３７は、帯電用帯電器、現像器、転写用帯電器を用いて、原稿画像を静電潜像として坦持するための感光体表面への帯電、感光体の静電潜像をトナーにより可視画像に現像、この可視画像（トナー画像）を記録媒体に転写を行うプロセスを制御する。記憶部１１２に蓄積された色選択チャート５００のデータを、画像形成部１０３に送信することで、色選択チャート５００を出力する。
【００１８】
パネル部１０４は、操作部１４１、表示部１４２、及びこれらが接続されたパネルＣＰＵ１４０を有し、メインＣＰＵ１１０に接続される。表示部１４２は、赤色（Ｒ）、緑色（Ｇ）、青色（Ｂ）、イエロー（Ｙ）、マゼンタ（Ｍ）、シアン（Ｃ）の色相及び色の濃淡で表現する色選択部１１や、色を特定する入力部２１、２２、２３、３２、３３を表示する。表示部１４２をタッチパネルとし、操作部を兼ねても良い。以下の説明では、表示部１４２をタッチパネルとして説明する。
【００１９】
図２は、第一の実施形態における、画像調整のフローチャートである。２００において、制御部１０１は、単色カラー印刷をするか否かを判断する。単色カラー印刷ではないと判断したら（２００のＮｏ）、２０５において、通常印刷をし、画像形成を終了する。ここでの通常印刷とは、カラー印刷及びブラックでのモノクロ印刷である。
【００２０】
制御部１０１は、単色カラー印刷であると判断したら（２００のＹｅｓ）、２０１において、色選択部１１を表示部１４２に表示する。図３は、色選択部１１の表示例である。制御部１０１は表示部１４２に、例えば、色選択部１１、チャート印刷ボタン１２、色指定ボタン１３、キャンセルボタン１４、選択色表示部１５を表示する。また、制御部１０１は表示部１４２に、「コピーしたい色を選択してください」、という指示メッセージを表示する。
【００２１】
色選択部１１は、色相及び色の濃淡で表現する。色選択部１１は、色相を左から順にＲ、Ｙ、Ｇ、Ｃ、Ｂ、Ｍ、Ｒとし、上が色濃く、下に下がるごとに色が淡く表示する。色選択部１１の表示はこれに限らず、色相や色の濃淡を逆にしても良いし、色相の順序を入れ替えても良い。ユーザは色選択部１１で、タッチパネルをタッチし、所望する色を選択する。制御部１０１は、選択色表示部１５にユーザが選択した色を表示する。図２に戻り、２０２において、制御部１０１は、色が色選択部１１により選択されたか否かを判断する。色が未選択と制御部１０１が判断したとき（２０２のＮｏ）、２０２の判断を繰り返す。色が色選択部１１により選択されたと制御部１０１が判断したら（２０２のＹｅｓ）、２０３において、選択箇所を含む選択範囲１６を表示部１４２に拡大表示する。選択箇所を含む選択範囲１６とは、選択箇所及び、選択箇所の近接箇所を含む範囲である。以下、選択箇所を含む範囲を、選択範囲として説明する。
【００２２】
図４は、選択範囲１６の拡大画像の表示例である。制御部１０１は、選択範囲１６を拡大した、拡大表示を表示部１４２に表示する。また、制御部１０１は、選択色表示部１５、決定ボタン１７、キャンセルボタン１８を表示部１４２に表示する。図３の色選択部１１の表示は小さく、選択しにくくなる虞があるため、制御部１０１は、ユーザが色選択部１１から選択した選択範囲１６を拡大して表示部１４２に表示する。図４の表示例において、選択範囲１６は選択箇所を中央にし、３×３の行列で表示している。選択範囲は３×３に限らず、例えば４×４、５×５の行列としても良い。ユーザは選択範囲１６を拡大して表示した拡大表示から、所望する色を選択する。
【００２３】
図２に戻り、２０３において、選択範囲１６を拡大表示したら、２０４において、制御部１０１は、色が決定されたか否かを判断する。制御部１０１が、図４のキャンセルボタン１８が押下されたと判断したら（２０４のＮｏ）、２０１に戻り、色の選択を再び行う。制御部１０１は、図４の決定ボタン１７が押下されたと判断したら、（２０４のＹｅｓ）、２０５において印刷をし、画像形成を終了する。
【００２４】
上述の説明では、単色カラー印刷を行う際の画像調整による説明をしたが、二色のカラー印刷を行う際も、制御部１０１は表示部１４２に色相及び色の濃淡で表現する色選択部１１を表示し、ユーザに色選択部１１から色を選択させる。二色カラー印刷を行う場合、図２において、１色目の色を決定したら、２色目の色をユーザに選択させるよう、再び表示部１４２に色選択部１１を表示し、ユーザに色選択部１１から２色目の色を選択させる。２色の選択が完了したと判断したら、制御部１０１は、選択された２色により画像を形成し、画像形成を終了する。
【００２５】
単色のカラー印刷の色は、例えば、赤、青、緑、黄、シアン、マゼンタ等である。選択できる色はこれに限らず、第一の実施形態で説明した色相及び色の濃淡で表現する色選択部１１による色の選択を可能とすることにより、例えば、ユーザが所望する色相の濃い色や淡い色を選択した単色カラー印刷も可能となる。例えば、ユーザは、濃い色の紫や淡い色のピンクの単色カラー印刷を選択することができる。
【００２６】
二色のカラー印刷の組み合わせは、例えば、黒と赤、黒と緑、青と黄色等である。組み合わせはこれに限らず、第一の実施形態で説明した色相及び色の濃淡で表現する色選択部による色の選択を可能とすることにより、例えば、ユーザが所望する色相の濃い色や淡い色を選択した二色カラー印刷も可能となる。例えば、ユーザは、濃い色の紫と淡い色のピンクを選択して二色カラー印刷をすることができる。
【００２７】
また、上述では、タッチパネルにて色選択部１１から色を選択させ、選択範囲を拡大表示して、色をユーザに決定させる説明をしたが、これに限らない。例えば、色選択部１１にカーソルを設け、上下左右に選択可能な操作部１４１により、色を選択させるようにしても良い。その際の、カーソルが選択している色を制御部１０１が、選択色表示部１５に表示させるようにする。タッチパネルにて色選択部１１から色を選択せずに、カーソルにより色が選択された場合は、制御部１０１は、図２の２０２、２０３の処理を除いて、２０４にて色を決定したか否かの判断をするようにしても良い。
【００２８】
上述のような第一の実施態様による画像形成装置及び画像調整方法により、表示部に色相及び色の濃淡で表現する色選択部を表示し、ユーザに色選択部から選択させることで、ユーザが所望する色にて、単色または二色カラー印刷することができる。
（第二の実施形態）
【００２９】
第二の実施形態の画像形成装置は、色特定情報である数値により色を指定し、ユーザが所望する色にて、単色または二色カラー印刷する。第一の実施形態と同一構成部分には同一符号を付す。
【００３０】
図５は、第二の実施形態における、画像調整のフローチャートである。３００において、制御部１０１は、単色カラー印刷か否かを判断する。制御部１０１は、単色カラー印刷でないと判断したら（３００のＮｏ）、３０７において、印刷して、画像形成を終了する。ここでの通常印刷とは、カラー印刷及びブラックでのモノクロ印刷である。
【００３１】
制御部１０１が、単色カラー印刷であると判断したら（３００のＹｅｓ）、３０１において、数値での色指定がされたか否かを判断する。色選択部１１（図３）により色が選択されたと判断したら（３０１のＮｏ）、３０２において、選択箇所を拡大表示した色選択画面を表示部１４２に表示する。その後、制御部１０１は、３０３において、色が決定されたか否かを判断する。制御部１０１が、図４のキャンセルボタン１８が押下されたと判断したら（３０３のＮｏ）、色の選択を再び行い、決定ボタン１７が押下されたと判断するまで、判断を繰り返す。決定ボタン１７が押下されたと判断したら、（３０３のＹｅｓ）、３０７において印刷をし、画像形成を終了する。
【００３２】
制御部１０１は、図３の色指定ボタン１３が押下されたと判断したら（３０１のＹｅｓ）、３０４において、数値入力画面を表示し、３０５において、入力された数値の色を選択色表示部１５に表示する。図６は、数値入力画面の表示例である。制御部１０１は、表示部１４２に、カラーモデル２０、入力部２１、２２、２３、決定ボタン１７、及びキャンセルボタン１８を表示する。
【００３３】
制御部１０１は、カラーモデル２０をＲＧＢと設定されたとき、入力部２１に赤色（Ｒ）の数値入力部、入力部２２に緑色（Ｇ）の数値入力部、入力部２３に青色（Ｂ）の数値入力部を表示する。カラーモデル２０は、ＲＧＢに限らず、例えば、色相（Hue）、彩度(Saturation)、輝度(Lightness)のＨＳＬであっても良い。制御部１０１は、ユーザがカラーモデル２０をタッチすると、ＲＧＢ、ＨＳＬの選択肢が表示されるよう制御する。また、制御部１０１は、数値入力画面において、カラーモデルの端にタブを設け、タブがユーザにより押下されると、ＲＧＢ、ＨＳＬの選択肢が表示されるよう制御しても良い。制御部１０１は、表示されたカラーモデルがユーザにより選択されたと判断すると、選択されたカラーモデルに伴い、入力部２１、２２、２３の表示が変化させる。ユーザが、カラーモデルにＨＳＬを選択したら、制御部１０１は、入力部２１に色相、入力部２２に彩度、入力部２３に輝度を表示する。
【００３４】
制御部１０１は、ユーザに入力部２１、２２、２３を選択して、操作部１４１において、数値を入力するよう促す。例えば、「数値入力画面に、コピーしたい色の数値を入力してください」、と指示メッセージを表示する。図６では、赤に１８０、緑に２００、青に２５０の数値が入力された数値入力画面の例を示す。ユーザは、これらの数値を入力部２１、２２、２３により、それぞれ一つずつ変更できる。制御部１０１は、選択色表示部１５には、入力部２１、２２、２３にて入力された入力値を元として形成される色を表示する。
【００３５】
図５に戻り、制御部１０１は、３０６において、色が決定されたか否かを判断する。図６において、キャンセルボタン１８が押下されたと制御部１０１が判断したら（３０６のＮｏ）、３０４に戻る。ユーザの所望する色が決定されるまで、制御部１０１はこの処理を繰り返す。
【００３６】
図６において、ユーザの所望する色が選択され、決定ボタン１７が押下されたと制御部１０１が判断したら（３０６のＹｅｓ）、３０７において、ユーザが選択した色にて、印刷を行い、画像形成を終了する。
【００３７】
上述のような第二の実施態様による画像形成装置及び画像調整方法により、表示部に数値により色を指定する入力部を表示し、ユーザに入力部から数値を入力させることで、ユーザが所望する色にて、単色または二色カラー印刷することができる。
（第三の実施形態）
【００３８】
第三の実施形態の画像形成装置は、色選択チャートから色特定情報である位置情報を指定し、ユーザが所望する色にて、単色または二色カラー印刷する。第一の実施形態と同一構成部分には同一符号を付す。
【００３９】
図７は、第三の実施形態の画像調整のフローチャートである。４００において、制御部１０１は、単色カラー印刷か否かを判断する。制御部１０１は、単色カラー印刷でないと判断したら（４００のＮｏ）、４０８において、印刷して、画像形成を終了する。ここでの通常印刷とは、カラー印刷及びブラックでのモノクロ印刷である。
【００４０】
制御部１０１は、単色カラー印刷であると判断したら（４００のＹｅｓ）、４０１において、チャートの位置情報での色指定がされたか否かを判断する。色選択部１１（図３）が選択されたと判断したら（４０１のＮｏ）、４０２において、選択箇所を拡大表示した色選択画面を表示部１４２に表示する。その後、制御部１０１は、４０３において、色が決定されたか否かを判断する。制御部１０１が、図４のキャンセルボタン１８が押下されたと判断したら（４０３のＮｏ）、色の選択を再び行い、決定ボタン１７が押下されたと判断するまで、判断を繰り返す。決定ボタン１７が押下されたと判断したら、（４０３のＹｅｓ）、４０８において印刷をし、画像形成を終了する。
【００４１】
制御部１０１は、図３のチャート印刷ボタン１２が押下されたと判断したら（４０１のＹｅｓ）、４０４において、表示部に色選択チャート５００を印刷するか否かを判断させる画面を表示する。図８は、色選択チャート５００を印刷するか否かを確認する表示例である。制御部１０１は、はいボタン３０及びいいえボタン３１、及び「チャートの印刷をしますか」、という指示メッセージを表示を表示部１４２にするよう制御する。
【００４２】
制御部１０１は、はいボタン３０が押下されたと判断したら（４０４のＹｅｓ）、４０５において、色選択チャート５００を画像形成部１０３により印刷し４０６に進む。制御部１０１は、いいえボタン３１が押下されたと判断したら（４０４のＮｏ）、４０６に進む。例えば、ユーザが既に色選択チャート５００を印刷して、所持していれば、色選択チャート５００を印刷する必要がないことがある。
【００４３】
図９に色選択チャート５００の例を示す。色選択チャート５００は、図３に示す色選択部と同様、赤色、緑色、青色、イエロー、マゼンタ、シアンの色相及び色の濃淡で表現された色選択部５０１を例えば、一定間隔で縦横に伸びる線（点線）で、複数の領域を区切る。区切られた領域には、それぞれ位置情報が設定される。図９の例では、横方面（行）にＡ、Ｂ、Ｃと順に数字を割り振り、縦方面（列）に１、２、３と順に英文字を割り振る。位置情報は、数字や英文字に限らず、区別できるものであれば、記号やマークであっても良いし、英数字を組み合わせても良い。
【００４４】
ユーザは印刷された色選択チャート５００から所望の色を選択する。ユーザは、印刷された色選択チャート５００にて、実際に印刷された状態での色を確認することができる。表示部１４２に表示された色合いと、用紙に印刷された色とではイメージが異なる虞があり、この場合、所望の色での印刷ができるまで何度も印刷するといった問題が生じることがある。よって、色選チャート５００からの色の選択は、所望の色での印刷ができるのまでの手間を省き、何度も印刷することがなくなるので、用紙やトナー等の消耗品の消費を抑えることにもなる。
【００４５】
図７に戻り、制御部１０１は４０６において、色選択チャート５００の位置情報入力画面を表示する。図１０は、色選択チャート５００の位置情報入力画面の表示例である。制御部１０１は、位置情報入力画面として、表示部１４２に色選択チャート５００の位置情報を入力する入力部３２、３３を表示させる。また制御部１０１は、表示部１４２に、例えば、「色選択チャートからコピーしたい色を選択してください。」という指示メッセージ、選択色表示部１５、決定ボタン１７、及びキャンセルボタン１８を表示させる。制御部１０１は、選択色表示部１５に、入力部３２、３３に入力された位置情報から指定された色を表示する。
【００４６】
図１０では、色選択チャート５００の位置情報である入力部３２に、色選択チャート５００の行を、入力部３３に入り選択チャート５００の列を入力する。例えば、ユーザが所望する色が（Ｂ、４）であれば、ユーザは、操作部１４１により、入力部３２にＢ、入力部３３に４を記入する。ここでは、行と列にて、位置情報を特定しているが、これに限らず、例えば、複数の領域にそれぞれ番号を振り、その番号をユーザに入力させるようにしても良い。
【００４７】
再び図７に戻り、制御部１０１は４０７において、色が決定したか否かを判断する。図１０において、キャンセルボタン１８が押下されたと制御部１０１が判断したら（４０７のＮｏ）、図７の４０６に戻る。ユーザの所望する色が決定されるまで、制御部１０１はこの処理を繰り返す。
【００４８】
図１０において、ユーザの所望する色が選択され、決定ボタン１７が押下されたと制御部１０１が判断したら（４０７のＹｅｓ）、４０８において、ユーザが選択した色にて、印刷を行い、画像形成を終了する。
【００４９】
上述のような第三の実施態様による画像形成装置及び画像調整方法により、表示部に色選択チャートの位置情報により色を指定する入力部を表示し、ユーザに入力部から位置情報を入力させることで、ユーザが所望する色にて、単色または二色カラー印刷することができる。
【００５０】
以上説明した少なくともひとつの実施形態の画像形成装置によれば、ユーザに色相及び色の濃淡で表現される色の中から、所望の色特定情報を選択させることで、ユーザが所望する色にて、単色または二色カラー印刷することができる。
【００５１】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々省略、置き換え、変更を行うことができる。これらの実施形態やその変形は、発明の範囲は要旨に含まれるとともに、特許請求の範囲に記載された発明とその均等の範囲に含まれる。
【符号の説明】
【００５２】
１１  色選択部
１５  選択色表示部
１６  選択範囲
２１、２２、２３、３２、３３  入力部
１００  画像形成装置
１０１  制御部
１０２  スキャナ部
１０３  画像形成部
１０４  パネル部
１１０  メインＣＰＵ
１１２  記憶部
１１６  画像処理部
１２５  画像読取部
１４１  操作部
１４２  表示部
５００  色選択チャート
【図１】
2012226320.tif 000003
【図２】
2012226320.tif 000004
【図３】
2012226320.tif 000005
【図４】
2012226320.tif 000006
【図５】
2012226320.tif 000007
【図６】
2012226320.tif 000008
【図７】
2012226320.tif 000009
【図８】
2012226320.tif 000010
【図９】
2012226320.tif 000011
【図１０】
2012226320.tif 000012